(57)【要約】      （修正有）【課題】防ダニ抗菌スポンジを提供する。【解決手段】摺動スポンジ本体１を含み、摺動スポンジ本体１の外層に防ダニ抗菌層２が形成される。防ダニ抗菌層２は、有機酸エステル化合物の防ダニ抗菌剤を吹き付けて形成される。【選択図】図１
0003223726.tif 000002
【実用新案登録請求の範囲】
【請求項１】
防ダニ抗菌スポンジであって、摺動スポンジ本体を含み、前記摺動スポンジ本体の外層に防ダニ抗菌層が形成されることを特徴とする防ダニ抗菌スポンジ。
【請求項２】
防ダニ抗菌スポンジであって、前記防ダニ抗菌層は、有機酸エステル化合物の防ダニ抗菌剤を吹き付けて形成されることを特徴とする防ダニ抗菌スポンジ。
【請求項３】
防ダニ抗菌スポンジであって、前記摺動スポンジ本体は、重量部数に基づく以下の原料で製造されることを特徴とする防ダニ抗菌スポンジ。
ポリエチレングリコール ５６．２％；
ポリメチレンジフェニルジイソソネート（Ｐ−ＭＤＩ） ３８．８％；
水 １．２％；
スズ系触媒 １．０％；
アミン系触媒 １．０％；
ポリエーテル変性ポリシロキサン １．８％。
【請求項４】
請求項３に記載した防ダニ抗菌スポンジであって、前記ポリプロピレングリコールは、重量部数に基づく以下の原料で製造されることを特徴とする防ダニ抗菌スポンジ。
ポリエチレングリコール５６１３ ３０％−４０％；
ポリエチレングリコールＧＬＲ２０００ ３０％−４０％；
ポリエチレングリコール８９７９６ ２０％−４０％；
【請求項５】
請求項３に記載した防ダニ抗菌スポンジであって、前記ポリプロピレングリコールは、重量部数に基づく以下の原料で製造されることを特徴とする防ダニ抗菌スポンジ。
ポリエチレングリコール５６１３ ３０％；
ポリエチレングリコールＧＬＲ２０００ ３０％；
ポリエチレングリコール８９７９６ ４０％；
【請求項６】
請求項３に記載した防ダニ抗菌スポンジであって、前記ポリプロピレングリコールは、重量部数に基づく以下の原料で製造されることを特徴とする防ダニ抗菌スポンジ。
ポリエチレングリコール５６１３ ４０％；
ポリエチレングリコールＧＬＲ２０００ ４０％；
ポリエチレングリコール８９７９６ ２０％；
【請求項７】
請求項３に記載した防ダニ抗菌スポンジであって、前記ポリプロピレングリコールは、重量部数に基づく以下の原料で製造されることを特徴とする防ダニ抗菌スポンジ。
ポリエチレングリコール５６１３ ３５％；
ポリエチレングリコールＧＬＲ２０００ ３５％；
ポリエチレングリコール８９７９６ ３０％；
【請求項８】
請求項３に記載した防ダニ抗菌スポンジポンジであって、前記スズ系触媒はオクタン酸第一スズであることを特徴とする防ダニ抗菌スポンジ。
【請求項９】
請求項３に記載した防ダニ抗菌スポンジであって、前記アミン系触媒はトリエチレンジアミンであることを特徴とする防ダニ抗菌スポンジ。
【考案の詳細な説明】
【技術分野】
【０００１】
本考案はスポンジに関し、特に防ダニ抗菌スポンジに関するものである。
【背景技術】
【０００２】
室温と湿潤な環境では、スポンジ製品はダニの繁殖地になることができる。枕やマットレスを頻繁に洗濯することができなく、カーペットは埃を吸いやすく、ダニは通常の洗濯や掃除機で部分的に取り除かれるにすぎず、残りの部分には依然として多くの病原体が繁殖し、人々の健康に非常に有害である。
【考案の開示】
【考案が解決しようとする課題】
【０００３】
上記問題点を解決するために、本考案は、防ダニ抗菌層を設置し、防虫薬膜を形成し、ダニに対して高効率、迅速な忌避効果を有し、スポンジを清潔に保つことができるだけでなく、疾病の伝染を防止し、人体の安全と健康を保証し、公共環境の交差感染率を低下可能な防ダニ抗菌スポンジを提供する。
【課題を解決するための手段】
【０００４】
上記目的を実現するために，本考案は以下の技術的解決手段を用いる：
【０００５】
本考案による防ダニ抗菌スポンジは、摺動スポンジ本体を含み、前記摺動スポンジ本体の外層に防ダニ抗菌層が形成される。
【０００６】
さらに、前記防ダニ抗菌層は、有機酸エステル化合物の防ダニ抗菌剤を吹き付けて形成されるものである。
【０００７】
さらに、前記摺動スポンジ本体は重量部数に基づく以下の成分で製造される。
ポリエチレングリコール ５６．２％；
ポリメチレンジフェニルジイソソネート（Ｐ−ＭＤＩ） ３８．８％；
水 １．２％；
スズ系触媒 １．０％；
アミン系触媒 １．０％；
ポリエーテル変性ポリシロキサン １．８％。
【０００８】
さらに、前記ポリプロピレングリコールは、重量部数に基づく以下の原料で製造される。
ポリエチレングリコール５６１３ ３０％−４０％；
ポリエチレングリコールＧＬＲ２０００ ３０％−４０％；
ポリエチレングリコール８９７９６ ２０％−４０％；
【０００９】
さらに、前記ポリプロピレングリコールは、重量部数に基づく以下の原料で製造される。
ポリエチレングリコール５６１３ ３０％；
ポリエチレングリコールＧＬＲ２０００ ３０％；
ポリエチレングリコール８９７９６ ４０％；
【００１０】
さらに、前記ポリプロピレングリコールは、重量部数に基づく以下の原料で製造される。
ポリエチレングリコール５６１３ ４０％；
ポリエチレングリコールＧＬＲ２０００ ４０％；
ポリエチレングリコール８９７９６ ２０％；
【００１１】
さらに、前記ポリプロピレングリコールは、重量部数に基づく以下の原料で製造される。
ポリエチレングリコール５６１ ３５％；
ポリエチレングリコールＧＬＲ２０００ ３５％；
ポリエチレングリコール８９７９６ ３０％；
【００１２】
さらに、前記スズ系触媒はオクタン酸第一スズである。
【００１３】
さらに、前記アミン系触媒はトリエチレンジアミンである。
【考案の効果】
【００１４】
本考案は、構造がシンプルで、防ダニ抗菌層を設置し、防虫薬膜を形成し、ダニに対して高効率、迅速な忌避効果を有し、スポンジを清潔に保つことができるだけでなく、疾病の伝染を防止し、人体の安全と健康を保証し、公共環境の交差感染率を低下することができる。さらに、以下の効果を有する。
【００１５】
１．本考案のスポンジは、良好な親肌性を持っていて、快適で柔らかく、そして摺動スポンジは、接触した体の部位に対して良好な快適性と密着性を感じることができ、人の体にとって柔らかくて快適であり、日々のストレスを緩和することに役立つ。
【００１６】
２．本考案のスポンジは、受けた圧力を多方向に分散させることができ、体のストレスを平均的に分散させる効果を達成する。
【００１７】
３．本考案のスポンジは、不正確な寝姿を調整することができる。
【００１８】
４．本考案のスポンジは、良好な支持性能を有し、体重の異なる人々に適しており、最良の支持力で睡眠者のあらゆる姿勢に自然に適応し、睡眠によって引き起こされる背中の痛みと寝苦しさを解消する。
５．本考案のスポンジは、通気殺菌性及び防ダニ性に優れ、そして摺動スポンジは、その特殊な分子構造のため、良好な通気性を有し、空気を摺動スポンジ内で自然に通過させ、睡眠中に発生する熱気と湿気を分散させ、細菌とダニの繁殖を効果的に抑制することができる。
【図面の簡単な説明】
【００１９】
【図１】本考案の全体構成の概略図である。
【図２】本考案の力分解の概略図である。
【考案を実施するための最良の形態】
【００２０】
以下、図面を組み合わせて本考案の技術的解決手段を明確かつ完全に記述し、当然ながら、記述された実施例は、単に本考案の一例であって、全ての実施例ではない。本考案における実施例に基づき、当業者が創造的な労力を要さずに想到し得るすべての他の実施例は、いずれも本考案の技術的範囲に属する。
【００２１】
本考案の記述において、用語の「中心」、「上」、「下」、「左」、「右」、「垂直」、「水平」、「内」、「外」などで指示する方向または位置関係は、添付図面に示した方向または位置関係に基づくものであり、単に本考案を説明するためのものであり、該当する装置または部品について特定の方向性を持つか、特定の方向に構築・操作すべきことを指示または暗示するものではないので、本考案を限定するものとして理解されるべきではない。また、用語の「第一」、「第二」、「第三」は目的を記述するだけで、相対的な重要性を指示または暗示するものとして理解されるべきではない。
【００２２】
本考案の記述において、別段の定義がない限り、用語の「設置」「つながり」「接続」「固定」などの用語は広義的に理解されるべきである。例えば、固定接続であっても、取り外し可能な接続或いは一体化であってもよい。機械的接続であっても、電気的接続であってもよい。直接的接続であっても、中間媒体を介する間接的接続或いは２つの部品の内部接続であってもよい。当業者には、具体的な状況に応じて、本考案における上記の用語の具体的な意味を理解すればよい。
（実施形態１）
【００２３】
図１−２に示すように、本実施例による防ダニ抗菌スポンジは、摺動スポンジ本体１を含み、前記摺動スポンジ本体の外層に防ダニ抗菌層２が形成される。
【００２４】
前記防ダニ抗菌層は、有機酸エステル化合物の防ダニ抗菌剤を吹き付けて形成されるものである。
【００２５】
前記摺動スポンジ本体は重量部数に基づく以下の成分で製造される。
ポリエチレングリコール ５６．２％；
ポリメチレンジフェニルジイソソネート（Ｐ−ＭＤＩ） ３８．８％；
水 １．２％；
スズ系触媒 １．０％；
アミン系触媒 １．０％；
ポリエーテル変性ポリシロキサン １．８％。
【００２６】
前記ポリプロピレングリコールは、重量部数に基づく以下の原料で製造される。
ポリエチレングリコール５６１３ ３０％；
ポリエチレングリコールＧＬＲ２０００ ３０％；
ポリエチレングリコール８９７９６ ４０％；
【００２７】
前記スズ系触媒はオクタン酸第一スズである。
【００２８】
前記アミン系触媒はトリエチレンジアミンである。
【００２９】
防ダニ抗菌層を設置し、防虫薬膜を形成し、ダニに対して高効率、迅速な忌避効果を有し、スポンジを清潔に保つことができるだけでなく、疾病の伝染を防止し、人体の安全と健康を保証し、公共環境の交差感染率を低下することができる。さらに、以下の効果を有する。
【００３０】
本実施例のスポンジは、良好な親肌性を持っていて、快適で柔らかく、そして摺動スポンジは、接触した体の部位に対して良好な快適性と密着性を感じることができ、人の体にとって柔らかくて快適であり、日々のストレスを緩和することに役立つ。
【００３１】
本実施例のスポンジは、受けた圧力を多方向に分散させることができ、体のストレスを平均的に分散させる効果を達成する。
【００３２】
本実施例のスポンジは、不正確な寝姿を調整することができる。
【００３３】
本実施例のスポンジは、良好な支持性能を有し、体重の異なる人々に適しており、最良の支持力で睡眠者のあらゆる姿勢に自然に適応し、睡眠によって引き起こされる背中の痛みと寝苦しさを解消する。
【００３４】
本実施例のスポンジは、通気殺菌性及び防ダニ性に優れ、そして摺動スポンジは、その特殊な分子構造のため、良好な通気性を有し、空気を摺動スポンジ内で自然に通過させ、睡眠中に発生する熱気と湿気を分散させ、細菌とダニの繁殖を効果的に抑制することができる。
（実施形態２）
【００３５】
図１−２に示すように、本実施例による防ダニ抗菌スポンジは、摺動スポンジ本体１を含み、前記摺動スポンジ本体の外層に防ダニ抗菌層２が形成される。
前記防ダニ抗菌層は、有機酸エステル化合物の防ダニ抗菌剤を吹き付けて形成されるものである。 
【００３６】
前記摺動スポンジ本体は重量部数に基づく以下の成分で製造される。
ポリエチレングリコール ５６．２％；
ポリメチレンジフェニルジイソソネート（Ｐ−ＭＤＩ） ３８．８％；
水 １．２％；
スズ系触媒 １．０％；
アミン系触媒 １．０％；
ポリエーテル変性ポリシロキサン １．８％。
【００３７】
前記ポリプロピレングリコールは、重量部数に基づく以下の原料で製造される。
ポリエチレングリコール５６１３ ４０％；
ポリエチレングリコールＧＬＲ２０００ ４０％；
ポリエチレングリコール８９７９６ ２０％；
【００３８】
前記スズ系触媒はオクタン酸第一スズである。
【００３９】
前記アミン系触媒はトリエチレンジアミンである。
【００４０】
防ダニ抗菌層を設置し、防虫薬膜を形成し、ダニに対して高効率、迅速な忌避効果を有し、スポンジを清潔に保つことができるだけでなく、疾病の伝染を防止し、人体の安全と健康を保証し、公共環境の交差感染率を低下することができる。さらに、以下の効果を有する。
【００４１】
本実施例のスポンジは、良好な親肌性を持っていて、快適で柔らかく、そして摺動スポンジは、接触した体の部位に対して良好な快適性と密着性を感じることができ、人の体にとって柔らかくて快適であり、日々のストレスを緩和することに役立つ。
【００４２】
本実施例のスポンジは、受けた圧力を多方向に分散させることができ、体のストレスを平均的に分散させる効果を達成する。
【００４３】
本実施例のスポンジは、不正確な寝姿を調整することができる。
【００４４】
本実施例のスポンジは、良好な支持性能を有し、体重の異なる人々に適しており、最良の支持力で睡眠者のあらゆる姿勢に自然に適応し、睡眠によって引き起こされる背中の痛みと寝苦しさを解消する。
【００４５】
本実施例のスポンジは、通気殺菌性及び防ダニ性に優れ、そして摺動スポンジは、その特殊な分子構造のため、良好な通気性を有し、空気を摺動スポンジ内で自然に通過させ、睡眠中に発生する熱気と湿気を分散させ、細菌とダニの繁殖を効果的に抑制することができる。
（実施形態３）
【００４６】
図１−２に示すように、本実施例による防ダニ抗菌スポンジは、摺動スポンジ本体１を含み、前記摺動スポンジ本体の外層に防ダニ抗菌層２が形成される。
【００４７】
前記防ダニ抗菌層は、有機酸エステル化合物の防ダニ抗菌剤を吹き付けて形成されるものである。 
【００４８】
前記摺動スポンジ本体は重量部数に基づく以下の成分で製造される。
ポリエチレングリコール ５６．２％；
ポリメチレンジフェニルジイソソネート（Ｐ−ＭＤＩ） ３８．８％；
水 １．２％；
スズ系触媒 １．０％；
アミン系触媒 １．０％；
ポリエーテル変性ポリシロキサン １．８％。
【００４９】
前記ポリプロピレングリコールは、重量部数に基づく以下の原料で製造される。
ポリエチレングリコール５６１３ ３５％；
ポリエチレングリコールＧＬＲ２０００ ３５％；
ポリエチレングリコール８９７９６ ３０％；
【００５０】
前記スズ系触媒はオクタン酸第一スズである。
【００５１】
前記アミン系触媒はトリエチレンジアミンである。
【００５２】
防ダニ抗菌層を設置し、防虫薬膜を形成し、ダニに対して高効率、迅速な忌避効果を有し、スポンジを清潔に保つことができるだけでなく、疾病の伝染を防止し、人体の安全と健康を保証し、公共環境の交差感染率を低下することができる。さらに、以下の効果を有する。
【００５３】
本実施例のスポンジは、良好な親肌性を持っていて、快適で柔らかく、そして摺動スポンジは、接触した体の部位に対して良好な快適性と密着性を感じることができ、人の体にとって柔らかくて快適であり、日々のストレスを緩和することに役立つ。
【００５４】
本実施例のスポンジは、受けた圧力を多方向に分散させることができ、体のストレスを平均的に分散させる効果を達成する。
【００５５】
本実施例のスポンジは、不正確な寝姿を調整することができる。
【００５６】
本実施例のスポンジは、良好な支持性能を有し、体重の異なる人々に適しており、最良の支持力で睡眠者のあらゆる姿勢に自然に適応し、睡眠によって引き起こされる背中の痛みと寝苦しさを解消する。
【００５７】
本実施例のスポンジは、通気殺菌性及び防ダニ性に優れ、そして摺動スポンジは、その特殊な分子構造のため、良好な通気性を有し、空気を摺動スポンジ内で自然に通過させ、睡眠中に発生する熱気と湿気を分散させ、細菌とダニの繁殖を効果的に抑制することができる。
【００５８】
以上は本考案及びその実施形態について詳しく説明し、添付図面に示したものも好ましい実施形態のみであり、本考案を限定するものではない。当業者にとって、本考案の趣旨及び原則から逸脱しない場合、設計したこの技術的解決策に類似した進歩性のない構造及び実施形態は、いずれも本考案の保護範囲内に入れるものとする。
【図１】
0003223726.tif 000003
【図２】
0003223726.tif 000004
【手続補正書】
【提出日】令和1年8月28日(2019.8.28)
【手続補正１】
【補正対象書類名】実用新案登録請求の範囲
【補正対象項目名】全文
【補正方法】変更
【補正の内容】
【実用新案登録請求の範囲】
【請求項１】
防ダニ抗菌スポンジであって、摺動スポンジ本体を含み、前記摺動スポンジ本体の外層に防ダニ抗菌層が形成されることを特徴とする防ダニ抗菌スポンジ。
【請求項２】
防ダニ抗菌スポンジであって、前記防ダニ抗菌層は、有機酸エステル化合物の防ダニ抗菌剤を吹き付けて形成されることを特徴とする請求項１に記載の防ダニ抗菌スポンジ。
【請求項３】
防ダニ抗菌スポンジであって、前記摺動スポンジ本体は、重量部数に基づく以下の原料で製造されることを特徴とする請求項１に記載の防ダニ抗菌スポンジ。
ポリエチレングリコール ５６．２％；
ポリメチレンジフェニルジイソソネート（Ｐ−ＭＤＩ） ３８．８％；
水 １．２％；
スズ系触媒 １．０％；
アミン系触媒 １．０％；
ポリエーテル変性ポリシロキサン １．８％。
【請求項４】
請求項３に記載した防ダニ抗菌スポンジポンジであって、前記スズ系触媒はオクタン酸第一スズであることを特徴とする防ダニ抗菌スポンジ。
【請求項５】
請求項３に記載した防ダニ抗菌スポンジであって、前記アミン系触媒はトリエチレンジアミンであることを特徴とする防ダニ抗菌スポンジ。